(57)【要約】  【課題】  ２つ以上の表示部を備える情報機器において、どのタイミングで消灯するかどうかが明確になるような操作性を実現する必要がある。  【解決手段】第１の表示部と前記第１の表示部とは別に着脱式の第２の表示部の装着を検出する装着検出手段を備え、電源が入ったまま、前記第１の表示部の点灯消灯を切り替えることが可能であり、また、前記第１の表示部の点灯消灯の切り替えは、ユーザー操作によって切り替え可能である点灯消灯切り替え手段を備え、前記点灯消灯切り替え手段によって点灯消灯を切り替えるか、前記装着検出手段の状態によって点灯消灯を切り替えるかを選択できることを特徴とする電子機器。【選択図】図３
2018025837.tif 000002
【特許請求の範囲】
【請求項１】
第１の表示部と
前記第１の表示部とは別に着脱式の第２の表示部の装着を検出する装着検出手段を備え、
電源が入ったまま、前記第１の表示部の点灯消灯を切り替えることが可能であり、また、前記第１の表示部の点灯消灯の切り替えは、ユーザー操作によって切り替え可能である点灯消灯切り替え手段を備え、
前記点灯消灯切り替え手段によって点灯消灯を切り替えるか、前記装着検出手段の状態によって点灯消灯を切り替えるかを選択できることを特徴とする電子機器。
【請求項２】
装着検出手段の状態によって点灯消灯を切り替えるが選択されている場合には、前記点灯消灯切り替え手段による操作は無効とし、
前記装着検出手段によって、第２の表示部が装着されていると判断した場合には、前記第１の表示部を消灯状態とし、
前記装着検出手段によって、第２の表示部が装着されていないと判断した場合には、前記第１の表示部を点灯状態とすることを特徴とする請求項１に記載の電子機器。
【請求項３】
装着検出手段の状態によって点灯消灯する場合には、装着検出手段の状態による点灯消灯は無効とし、
前記点灯消灯切り替え手段による操作のみを受け付けることを特徴とする請求項１または２に記載の電子機器。。
【請求項４】
前記点灯消灯切り替え手段による操作とは、機能を自由に割り当て可能な外装キーであり、点灯消灯の切り替え機能が割当たっている場合にの操作であることを特徴とする請求項３に記載の電子機器。
【請求項５】
前記点灯消灯切り替え手段による操作とは、２つの外装キーの操作であり、一方のキーは押下のみで、もう一方のキー操作は回転式のダイヤル操作であることを特徴とする請求項３に記載の電子機器。。
【請求項６】
映像素子と、
第３の表示部を備え、
前記第３の表示部には撮影素子から取得した撮影映像を表示可能であり、第３の表示部は、前記点灯消灯切り替え手段でも装着検出手段の状態でも消灯しないことを特徴とする請求項１乃至５のいずれか１項に記載の電子機器。
【請求項７】
第１の表示部を有する電子機器の制御方法であって、
前記第１の表示部とは別に着脱式の第２の表示部の装着を検出する装着検出ステップと、
電源が入ったまま、前記第１の表示部の点灯消灯を切り替えることが可能であり、また、前記第１の表示部の点灯消灯の切り替えは、ユーザー操作によって切り替え可能である点灯消灯切り替えステップと、
前記点灯消灯切り替えステップにおいて点灯消灯を切り替えるか、前記装着検ステップの状態によって点灯消灯を切り替えるかを選択できることを特徴とする電子機器の制御方法。
【請求項８】
コンピュータを、請求項１乃至６のいずれか１項に記載された電子機器の各手段として機能させるためのプログラム。
【請求項９】
コンピュータを、請求項１乃至６のいずれか１項に記載された電子機器の各手段として機能させるためのプログラムを格納したコンピュータが読み取り可能な記憶媒体。
【発明の詳細な説明】
【技術分野】
【０００１】
本発明は、ＬＣＤパネルの点灯消灯の方法に関する。
【背景技術】
【０００２】
業務用のビデオカメラにおいて、暗闇での撮影のためＬＣＤパネル（液晶パネル）やＬＥＤといったビデオカメラ本体からの光源をオフさせる機能が必要である。暗闇とは、例えば、夜間の動物撮影や結婚式等のイベントでの撮影である。そのような場合に、光源がオフできないと、撮影時にカメラ本体が目立ってしまい、所望の撮影ができなくなってしまう。
【０００３】
一般的な消灯の手段として、ボタンでＬＣＤパネルを一時的に消灯できる技術がある。また、特許文献１には、ＬＣＤパネルが外部機器に接続した際に消灯することが開示されている。
【先行技術文献】
【特許文献】
【０００４】
【特許文献１】特開２００９−１４０４７１号公報
【発明の概要】
【発明が解決しようとする課題】
【０００５】
特許文献１に記載のようにＬＣＤパネルが外部機器に接続した際に消灯するだけでは、ユーザが外部機器に接続していないが、ＬＣＤパネルを消灯したい時に消灯できなくなってしまう。そこでボタン押下でＬＣＤパネルを消灯にするといった機能を組み込むと、外部機器との接続に応じて消灯するのか、ボタン押下により消灯するのか、いつ消灯するのか分からなくなる可能性がある。
【０００６】
本発明は、上記課題に鑑み、ユーザにＬＣＤパネルが外部機器接続とその他の指示とのいずれにより消灯するのかを明確に示すようにすることを目的とする。
【課題を解決するための手段】
【０００７】
第１の表示部と前記第１の表示部とは別に着脱式の第２の表示部の装着を検出する装着検出手段を備え、電源が入ったまま、前記第１の表示部の点灯消灯を切り替えることが可能であり、また、前記第１の表示部の点灯消灯の切り替えは、ユーザー操作によって切り替え可能である点灯消灯切り替え手段を備え、前記点灯消灯切り替え手段によって点灯消灯を切り替えるか、前記装着検出手段の状態によって点灯消灯を切り替えるかを選択できることを特徴とする。
【発明の効果】
【０００８】
ユーザにＬＣＤパネルが外部機器接続とその他の指示とのいずれにより消灯するのかを明確に示すようにすることができる。
【図面の簡単な説明】
【０００９】
【図１】本発明の実施形態に係るブロック図である。
【図２】本発明の実施形態に係る外観図である。
【図３】本発明の実施形態に係る設定画面を示した図である。
【図４ａ】本発明の実施形態に係わる各表示装置の状態を示す図である。
【図４ｂ】本発明の実施形態に係わる各表示装置の状態を示す図である。
【図４ｃ】本発明の実施形態に係わる各表示装置の状態を示す図である。
【図４ｄ】本発明の実施形態に係わる各表示装置の状態を示す図である。
【図４ｅ】本発明の実施形態に係わる各表示装置の状態を示す図である。
【図５】本発明の実施形態に係るその他の消灯方法を表す図である。
【図６】本発明のの第１の実施形態に係る画面表示時のフローチャートである。
【発明を実施するための形態】
【００１０】
以下、本発明の実施の形態を図面を参照して説明する。
【００１１】
＜第１の実施の形態＞
図１は、本発明の実施形態に係わる動画記録装置の内部のデータパスを示すブロック図である。本実施の形態では、撮像装置の一例として、業務用デジタルビデオカメラを挙げて説明する。なお、本実施の形態で説明するビデオカメラには、電子ビューファインダーＥＶＦとＬＣＤパネル付きの操作リモコンがケーブル経由で接続可能である。さらに、外部ＩＦとしてＨＤＭＩ（登録商標）やＳＤＩを備え、撮影映像をモニターで確認することができる。
【００１２】
なお、ＥＶＦと外部ＩＦに表示される撮影映像とＯＳＤは同じ表示である。また、カメラ本体のＬＣＤパネルには、ＭＥＮＵ画面等のカメラ設定や状態を示す表示のみで、撮影映像は表示されない。さらに、操作リモコンは、カメラ本体と接続時に電源が共有され、ＬＣＤパネルが表示される。操作リモコンのＬＣＤパネルには、カメラ本体のＬＣＤパネルと同じ表示である。
【００１３】
本撮像装置において、ＣＰＵ１０７は、プログラム・データ記憶部１０８からプログラムを読み込み、これに従ってビデオカメラ全体の動作を制御する演算装置である。読み込まれたプログラムは、ＣＰＵ１０７に複数のタスクを並列に実行させるための機能を備える。具体的に、ＣＰＵ１０７の制御により「モード制御タスク」、「カメラ制御タスク」、「レコーダ制御タスク」及び「表示制御タスク」が動作する。表示制御タスクを実行するＣＰＵ１０７が、表示制御部としての機能を果たす。また、一時記憶部１０３の一部は、ＣＰＵ１０７のワーク領域として機能し、下記の動画用フレームバッファ、ＯＳＤ用フレームバッファを提供する。
【００１４】
カメラ部１０１は、アナログ映像信号を動画記録装置に入力するための機構を備える。具体的に、被写体からの光を結像させるためのレンズ、レンズよって結像された被写体像を光電変換する撮像素子、撮像素子を駆動する回路等を含む。映像処理部１０２は、カメラ部１０１から入力されたアナログ映像信号をデジタルの動画データに変換し、ノイズ除去などの所定の画像処理に基づく補正を行う。カメラ部１０１及び映像処理部１０２の動作は、ＣＰＵ１０７が実行する「カメラ制御タスク」によって制御される。
エンコーダ・デコーダ部１０４は、映像処理部１０２からの動画データを符号化する。
【００１５】
エンコーダ・デコーダ部１０４によって符号化された動画データは、一時記憶部１０３に一旦記憶されたのち、付随する管理データとともに動画記憶部１０５に記憶される。動画の再生時は逆に、動画記憶部１０５から読み出された符号化された動画データ（画像データ）が一時記憶部１０３を介してエンコーダ・デコーダ部１０４で復号化される。その後、再び一時記憶部１０３内の動画用フレームバッファに展開される。エンコーダ・デコーダ部１０４及び動画記憶部１０５の記憶制御は、ＣＰＵ１０７が実行する「レコーダ制御タスク」によって制御される。
【００１６】
動画記憶部１０５から読み出された管理データは、ＯＳＤ（On Screen Display）データ、すなわち、撮影画像もしくは再生画像に重畳される文字表示やＧＵＩ（Graphical User Interface）用のデータの生成に利用される。そして、生成されたＯＳＤデータは、一時記憶部１０３内のＯＳＤ用フレームバッファに描画される。ＯＳＤ用フレームバッファの各内容は、ＥＶＦ／外部出力表示制御部１１１を経てＥＶＦ１１２やＨＤＭＩ（登録商標）やＳＤＩといった外部出力Ｉ／Ｆ１１３に表示される。操作キー１０６はユーザーによる動作指示を受け付けるための操作部である。
【００１７】
また、ＣＰＵ１０７は、動画用フレームバッファとＯＳＤ用フレームバッファの各内容をＥＶＦ／外部出力表示制御部１１１で重畳し、ＥＶＦ１１２や外部出力Ｉ／Ｆ１１３に出力される。また、ＬＣＤパネル１０９に表示されるＯＳＤ用のフレームバッファ内容もまた、一時記憶部１０３に格納されるが異なる領域に記憶され、ＬＣＤパネル表示制御部１１０を経て、ＬＣＤパネル１０９に表示される。
【００１８】
なお、ＬＣＤパネル１０９には、撮影画像を表示しないので、動画用フレームバッファとの合成はせずに、ＣＰＵ１０７は、パネル出力用のＯＳＤフレームバッファの内容をＬＣＤパネル表示制御部１１０で信号の変換を行い、ＬＣＤパネル１０９に出力される。また、ＬＣＤパネル表示制御部１１０において、ＬＣＤパネル１０９に対してバックライト輝度を５段階で指定し、バックライトのオン／オフも指定可能である。
【００１９】
リモコン通信部１１４は、操作リモコンとの通信を行うＩ／Ｆであり、ＣＰＵ１０７は、操作リモコンへの電源の供給やデータ通信を通じて行う。また、ＣＰＵ１０７は、リモコン通信部１１４を通じて、操作リモコンで操作されたキーの情報を受け取る。
カメラ本体とつながる操作リモコンについての説明であり、リモコンＣＰＵ１２７は、カメラ通信部１１５による通信によって、操作リモコンの表示制御を行う。操作リモコンにおいて、リモコンＣＰＵ１２７は、リモコンプログラム・データ記憶部１２８からプログラムを読み込み、これに従って動作を制御する演算装置である。
【００２０】
読み込まれたプログラムは、リモコンＣＰＵ１２７に複数のタスクを並列に実行させるための機能を備える。具体的に、リモコンＣＰＵ１２７の制御により「モード制御タスク」、「表示制御タスク」が動作する。また、リモコン一時記憶部１２３の一部は、ＣＰＵ１２７のワーク領域として機能し、ＯＳＤ用のフレームバッファを提供する。カメラ通信部１１５との通信データを参照して、リモコンＣＰＵ１０７はＯＳＤ用のフレームバッファを作成し、リモコン一時記憶部１２３に格納される。
【００２１】
リモコン一時記憶部１２３に格納されたＯＳＤ用のフレームバッファは、リモコン表示制御部１３０で信号の変換し、リモコンＬＣＤパネル１２９へ出力される。また、リモコン表示制御部１３０において、ＬＣＤパネル１２９に対してバックライト輝度を５段階で指定可能である。
【００２２】
次に図２は、発明の実施形態に対応する撮像装置としてのデジタルビデオカメラの外観図の一例を２つの視点で示し、また、操作リモコンの外観図の一例を示す。本ビデオカメラは、図２(ａ)のカメラ部１０１を有するレンズ通信部２０３と本体部２０１と、操作キー１０６で構成される。
【００２３】
さらに、ＥＶＦ接続部２０２を備え、ＥＶＦ接続部２０２をとして、ＥＶＦ２２０と接続可能である。また、リモコン通信部１１４を備える。
【００２４】
続いて、図２（ｂ）に示すように、複数の操作キー１０６と本体保持部２１０によりＥＶＦ本体２２０が固定されている。ＥＶＦ本体２２０には、操作キー１０６の一部であるＥＶＦ操作キー２２１とＥＶＦ操作ダイヤル２２２を備える。なお操作ダイヤル２２２は、回転操作とＥＶＦ本体側への押しこみの操作が可能である。さらに、ＥＶＦ本体２２０は、ＥＶＦの液晶パネルを示すＥＶＦ１１１が取り付けられている。本体保持部２１０およびＥＶＦ本体２２０は取り外し可能である。
【００２５】
さらに、本体部２０１には、操作キー１０６の一部である本体操作ダイヤル２１３とパネル操作キー２１２、ＬＣＤパネル１０９、外部出力Ｉ／Ｆ１１３、バッテリ装着部２１４、電源Ｉ／Ｆ２１５とが取り付けられている。本体操作ダイヤル２１３は、回転操作と本体側への押しこみの操作が可能である。さらに、本体部２０１には、操作キー１０６の一部であるアサイン割り当て可能ボタン２１１があり、ユーザーはメニューにより、このボタンに割り当てる動作を変更することができる。
【００２６】
続いて、図２（ｃ）に示すように、複数のリモコン操作キー１２６、リモコンパネル操作キー２３１、リモコン操作ダイヤル２３２、を備える。なお、リモコン操作ダイヤル２３２は、回転操作とリモコン本体側への押しこみの操作が可能である。上記でも述べたように、操作リモコンは、有線でつながるカメラ通信部１１５によって、電源の供給、カメラ本体部とのデータ通信を行う。
【００２７】
図３は、本実施の形態における、ＬＣＤ１０９及びリモコンＬＣＤパネル１２９に表示される画面の一例を示す。図３は、本体の操作キー１０６、操作リモコンの操作キー１２６の１つであるＭＥＮＵキーを選択し、表示されるＭＥＮＵ一覧からＬＣＤパネル消灯方法を選択した際に、表示される画面である。
【００２８】
画面上には、ＬＣＤパネル消灯方法の選択肢として、アサインボタン、リモコン接続時が存在する。ここでは、各選択肢の動作概要について説明し、処理の流れは図６において説明する。ユーザーがアサインボタンを選択すると、カメラ本体は、アサインボタン２１１でのみＬＣＤパネル１０９の消灯操作を受け付ける。なお、アサインボタン２１１でＬＣＤパネル１０９の消灯をするためには、事前に、アサインボタン２１１のいずれかのキーに対して、メニューでパネル消灯の機能割り当てをする必要がある。続いて、ユーザーがリモコン接続時を選択すると、ＬＣＤパネル１０９は、リモコン接続時に消灯状態となる。
【００２９】
ただし、カメラ本体とリモコンの通信が完了していない場合、接続時を選択していても消灯させない。通信が完了しないとは、例えば、動作保証外のリモコンが装着されている時や動作保証対象のリモコンであるが、ファームのバージョンが動作保証外である場合等である。また、リモコン接続時を選択している場合、ＬＣＤパネル１０９を消灯動作が割当たっているアサインボタン２１１を押しても消灯させない。
【００３０】
上記のように、メニューにボタンでＬＣＤパネル１０９を消灯させるか、接続時にＬＣＤパネル１０９を消灯させるかを用意することにより、ユーザーにとって、どのような場合に消灯するかが明確になる。
【００３１】
図４ａ乃至図４ｅでは、本実施の形態において、図３におけるメニューの各設定状態における、各表示デバイス（ＬＣＤパネル１０９、リモコンＬＣＤパネル１２９、ＥＶＦ１１２）状態を示す図である。図４ａ、図４ｂは、図３におけるＬＣＤパネル消灯方法メニューにおいて、アサインボタンが選択されている時の動作状態である。
【００３２】
図４ａでは、ＬＣＤパネル１０９、ＥＶＦ１１２の両方が表示されていることを示し、ＬＣＤパネル１０９には、カメラの設定状態を確認できる画面の例が表示されており、ＥＶＦ１１２には、撮影映像と撮影映像に重畳された設定状態を表示する画面の例が表示されている。
【００３３】
なお、本実施の形態において外部出力Ｉ／Ｆ１１３にはＥＶＦ１１２と同様の映像が出力されるとするが、ＥＶＦ１１２と外部出力Ｉ／Ｆ１１３の映像が同じである必要はない。例えば、外部出力Ｉ／Ｆ１１３には、撮影映像のみ表示されてもいいし、ＥＶＦ１１２とは別の設定状態を表示していもいいとする。
【００３４】
上記図４ａの状態で、パネル消灯機能を割り当てたアサインボタン２１１を押下すると、図４ｂの状態となる。図４ｂにおいて、黒の塗りつぶし矩形は、パネルのバックライトが消灯されていることを示す。図４ｂで示すように、ＬＣＤパネル１０９が消灯されても、ＥＶＦ１１２は消灯されない。また、外部出力Ｉ／Ｆ１１３に対しての出力状態も変わらない。
【００３５】
図４ｃ、図４ｄ、図３におけるＬＣＤパネル消灯方法メニューにおいて、リモコン接続時が選択されている時の動作状態である。図４ｃにおいて、操作リモコンが装着されていないので、ＬＣＤパネル１０９は点灯状態である。また、リモコンＬＣＤパネル１２９はカメラ本体とリモコンが装着されていなので、電源供給がされず点灯していないことを示す。
【００３６】
図４ｄにおいて、パネルと接続されているため、ＬＣＤパネル１０９が消灯状態となる。この場合、操作リモコンは電源供給され、リモコンＬＣＤパネル１２９は点灯状態となる。図４ｃ、図４ｄにおいて、ＥＶＦ１１２の動作は影響せず、常に点灯している状態である。また、外部出力Ｉ／Ｆ１１３の状態も、図４ｃ、図４ｄの変化では変わらない。さらに、図４ｃ、図４ｄにおいて、消灯機能が割り当てれたアサインボタン２１１が押下されてもＬＣＤパネル１０９の状態は変わらない。
【００３７】
図４ｅは、図３におけるＬＣＤパネル消灯方法メニューにおいて、アサインボタンが選択されているが、リモコンが装着された場合の例を示す。この場合、ＬＣＤパネル１０９はアサインボタンにより消灯動作を行うため、リモコンを装着しただけでは消灯しない。図４ｅの状態でパネル消灯機能を割り当てたアサインボタン２１１を押すと、ＬＣＤパネル１０９が消灯される。この場合、リモコンＬＣＤパネル１２９やＥＶＦ１１２は消灯されず。外部出力Ｉ／Ｆ１１３に対する出力状態も変わらない。
【００３８】
図５では、上記以外で消灯手段について説明する。本実施の形態において、上記遺体の消灯手段として、操作キー１０６と操作ダイヤル２１３を同時操作すると、パネルの液晶の明るさ（バックライトの明るさ）及び消灯操作ができるとする。図５のユーザーの操作指５０１が示すように、操作キー１０６の一部と操作ダイヤル２１３を同時操作していることがわかる。この場合、ＬＣＤパネルは、段階的に液晶の明るさが変わり、操作キー１０６の一部を押したまま、操作ダイヤル２１３を図５の矢印方向に回し続けると消灯状態となる。
【００３９】
逆に、矢印方向と逆方向に回し続けるとパネルが明るくなる。本実施の形態において、ダイヤルの方向と明るさは特に限定しない、上記と逆であってもよい。図５の５０２、５０３、５０４、５０５、５０６において、パネルの明るさが徐々に暗くなっていることを示し、５０７では、パネル消灯状態であることを示す。なお、図５の５０２、５０３、５０４、５０５、５０６への変化は、どのような場合でも動作するが、図５の５０７となるのは、図３のＬＣＤパネル消灯方法でアサインボタンが選択された場合のみである。
【００４０】
図３のＬＣＤパネル消灯方法でリモコン接続時を選択しているのに係わらず、図５の操作でＬＣＤパネル１０９を消灯してしまうと、ＬＣＤパネル１０９を消灯して操作リモコンを接続し非接続とした時に、点灯したままか、消灯のままかなのかがユーザーに対して明確にならないからである。
【００４１】
図６は、本実施の形態において、カメラモードに移行して画面更新をする際のＣＰＵ１０７が行うＬＣＤパネル消灯の処理を示したフローチャートである。この処理は、ＣＰＵ１０７がプログラム・データ記憶部１０８からプログラムを読み出して実行することによって実現される。
【００４２】
まず、Ｓ６０１では、ＣＰＵ１０７は初期制御として、ＬＣＤパネル１０９のバックライトを点灯状態とする。このでのバックライトの明るさは、最後に点灯していた際の明るさをプログラム・データ記憶部１０８から読み出して設定する。
【００４３】
次に、Ｓ６０２では、ＣＰＵ１０７は現状のバックライト状態を取得し、一時記憶部１０３に格納する。
【００４４】
次に、Ｓ６０３では、ＣＰＵ１０７は電源オフ要求されたかどうかの判定を行い、電源オフ要求がされた場合には、Ｓ６１２の処理を行い、電源オフ処理を行う。なお、Ｓ６１２において、ＣＰＵ１０７はパネルが消灯されている場合には、特に何もせず。パネルが点灯状態である場合には、Ｓ６０２で取得したバックライト状態をプログラム・データ記憶部１０８に格納する。Ｓ６０３において、ＣＰＵ１０７は、電源オフ要求が無い場合には、Ｓ６０４の処理を行う。
【００４５】
次に、Ｓ６０４では、ＣＰＵ１０７は、ＬＣＤパネル消灯方法のＭＥＮＵの設定がアサインボタンであるかどうかの判定を行う。本実施の形態に置いて、メニューの設定は全て、プログラム・データ記憶部１０８に格納されているとし、ＬＣＤパネル消灯方法のＭＥＮＵの設定がアサインボタンであるかどうかの判定も、プログラム・データ記憶部１０８からデータを読み出して制御を行う。Ｓ６０４において、ＣＰＵ１０７は、ＬＣＤパネル消灯方法のＭＥＮＵの設定がアサインボタンである場合には、Ｓ６０５の処理を行い、アサインボタンでない場合にはＳ６０７の処理を行う。
【００４６】
次に、Ｓ６０５では、ＣＰＵ１０７は、パネル消灯機能を割り当てたアサインボタン２１１が押されたかどうかの判定を行い、押されてない場合には、Ｓ６０２の処理から繰り返し、押されあた場合にはＳ６０６の処理を行う。
【００４７】
次に、Ｓ６０６では、ＣＰＵ１０７は、バックライト要求をＳ６０２で取得したバックライト状態と反転させる。つまり、バックライト状態が消灯である場合には、バックライト要求を点灯とし、バックライト状態が点灯である場合には、バックライト要求を消灯とする。なお、バックライト要求とは、一時記憶部１０３の格納される値である。Ｓ６０７では、ＣＰＵ１０７は、操作リモコンが接続接続されているかどうかの判定を行い、リモコンが接続されている場合には、Ｓ６０８の処理を行い、接続されていない場合には、Ｓ６０９の処理を行う。
【００４８】
次に、Ｓ６０８では、ＣＰＵ１０７は、バックライト要求を点灯とする。次に、Ｓ６０９では、ＣＰＵ１０７は、バックライト要求を消灯とする。次に、Ｓ６１０では、ＣＰＵ１０７は、Ｓ６０２で取得したバックライト状態と一時記憶部１０３に格納されているバックライト要求が異なるかを判定し、同じ場合は、Ｓ６０２に戻り繰り返し処理を実行し、異なる場合は、Ｓ６１１の処理へ移行する。
【００４９】
次に、Ｓ６１１では、ＣＰＵ１０７はバックライト要求に従って、バックライト状態を変更する。なお、バックライト要求が消灯である場合には、現状の明るさをプログラム・データ記憶部１０８に格納する。
【００５０】
上記のようなシーケンスにより、消灯方法のメニューと接続状態により制御することで、図４で示すような動作が可能となる。なお、上記シーケンス図では記述しなかったが、図５のような操作をする場合には、Ｓ６０５において、図５の５０６から５０７への操作かどうかの判定をＯＲ条件で行う。
【００５１】
上記に述べたように、ユーザーに対してパネル消灯方法を選択させるメニューを用意し、メニューの選択状態によって動作仕様を変えることで、ユーザーにとって明確な動作となるＧＵＩを提供することができる。ユーザーに消灯方法を選択させることで、ユーザーはどのようなタイミングで消灯するかが明確となる。
【００５２】
なお、パネル消灯状態である場合も、各操作キーは全て受けつけるとする。上述したがＬＣＤパネル消灯方法でリモコン接続時が選択されている場合に、消灯機能を割り当てたアサインボタン２１１を押してもキーは無効である。また、ＬＣＤパネルの消灯方法の初期設定値は、アサインボタンとする。
【００５３】
なお、ＣＰＵ１０７が行うものとして説明した上述の各種の制御は１つのハードウェアが行ってもよいし、複数のハードウェアが処理を分担することで、装置全体の制御を行ってもよい。
【００５４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５５】
また、上述した実施形態においては、本発明をデジタルカメラに適用した場合を例にして説明したが、これはこの例に限定されず、ＬＣＤパネルの消灯の設定をすることができるような電子機器であれば適用可能である。すなわち、本発明は携帯電話端末や携帯型の画像ビューワ、デジタルフォトフレーム、音楽プレーヤー、ゲーム機、電子ブックリーダーなどに適用可能である。
【００５６】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【００５７】
１０１  カメラ部
１０２  映像処理部
１０３  記憶部
１０４  エンコーダ・デコーダ部
１０５  動画記憶部
１０６  操作キー
１０７  ＣＰＵ
１０８  プログラム・データ記憶部
【図１】
2018025837.tif 000003
【図２】
2018025837.tif 000004
【図３】
2018025837.tif 000005
【図４ａ】
2018025837.tif 000006
【図４ｂ】
2018025837.tif 000007
【図４ｃ】
2018025837.tif 000008
【図４ｄ】
2018025837.tif 000009
【図４ｅ】
2018025837.tif 000010
【図５】
2018025837.tif 000011
【図６】
2018025837.tif 000012